(57)【要約】【課題】一方の部屋における縦枠の横幅と、他方の部屋における縦枠の横幅とを同じにできる。【解決手段】一方の部屋１と他方の部屋２との間で出入りするための開口部４に取付けられるドア枠５である。ドア枠５の縦枠６の内面部の一側部側を段落してドア７を閉じた際にドア７の端部が位置する段落部８を形成する。縦枠６の両側面部のうち段落部８側の側面部を一方の部屋に露出する第１室内露出面部９とする。第１室内露出面部９の幅方向の一端部を縦枠６の外面から段落部８と反対側に向けて突出した外面側突出部１０により構成する。縦枠６の両側面部のうち他方の側面部を他方の部屋２に露出する第２室内露出面部１１とする。第１室内露出面部９の横幅と第２室内露出面部１１の横幅とを等しくした。【選択図】図１
2008240308.tif 000002
【特許請求の範囲】
【請求項１】
一方の部屋と他方の部屋との間で出入りするための開口部に取付けられるドア枠であって、該ドア枠の縦枠の内面部の一側部側を段落してドアを閉じた際にドアの端部が位置する段落部を形成し、縦枠の両側面部のうち段落部側の側面部を一方の部屋に露出する第１室内露出面部とし、該第１室内露出面部の幅方向の一端部が縦枠の外面から戸当り用段落部と反対側に向けて突出した外面側突出部により構成され、縦枠の両側面部のうち他方の側面部を他方の部屋に露出する第２室内露出面部とし、上記第１室内露出面部の横幅と第２室内露出面部の横幅とを等しくして成ることを特徴とするドア枠の構造。
【発明の詳細な説明】
【技術分野】
【０００１】
本発明は、ドア枠の構造、特にドア枠の縦枠の構造に関するものである。
【背景技術】
【０００２】
従来から、壁の開口部に取付けられるドア枠の縦枠の構造として一般には縦枠本体の内面の幅方向の一部に縦枠本体とは別体の戸当り部材を固着することで構成するか、あるいは枠本体の内面部の幅方向の略中央部に戸当り突部を一体に突設しているが、前者は、縦枠本体に別部材の戸当り部材を取付ける手間がかかるのみならず、いずれの場合も戸当りとなる部分が幅方向の中央部に突出して幅が狭いので、ドアを閉じた時に大きな衝撃が戸当り部分にかかると、損傷するおそれがある。
【０００３】
そこで、ドアの縦枠の内面側の幅方向の一側部側を段落してドアを閉じた際にドアの端部が位置するための段落部を形成することで、段落部の段差部を戸当りとすることが特許文献１により提案されている。
【０００４】
すなわち、上記特許文献１に示された従来の縦枠は、縦枠の内面部の一側部側を段落して段落部を形成し、縦枠の両側面部のうち一方を一方の部屋に露出する第１室内露出面部とすると共に、縦枠の両側面部のうち他方の側面部を他方の部屋に露出する第２室内露出面部としている。
【０００５】
この特許文献１に示された従来例は、ドア枠に段落部を形成することで、段落部の端部の段差部分を戸当りとするものであって、枠本体の内面部の幅方向の略中央部に戸当り突部とするものに比べて戸当りとなる部分の幅が広く、戸当りの強度が強く、また、製造も容易であるという特徴を有しているが、ドア枠の内面の一側部に段落部を形成するので、一方の部屋に露出する第１室内露出面部の横幅（見付幅）と、他方の側面部を他方の部屋に露出する第２室内露出面部の横幅（見付幅）とが異なり、このため、ドアを閉じた状態で一方の部屋における縦枠の外観と、他方の部屋における縦枠の外観とが大きく異なり、ちぐはぐな感じを与えてしまうという問題があった。
【特許文献１】実用新案登録第３１２９４９９号公報
【発明の開示】
【発明が解決しようとする課題】
【０００６】
本発明は上記の従来の問題点に鑑みて発明したものであって、一方の部屋における縦枠の横幅と、他方の部屋における縦枠の横幅とを同じにできて外観が良いドア枠の構造を提供することを課題とするものである。
【課題を解決するための手段】
【０００７】
上記課題を解決するために本発明に係るドア枠の構造は、一方の部屋１と他方の部屋２との間で出入りするための開口部４に取付けられるドア枠５であって、該ドア枠５の縦枠６の内面部の一側部側を段落してドア７を閉じた際にドア７の端部が位置する段落部８を形成し、縦枠６の両側面部のうち段落部８側の側面部を一方の部屋に露出する第１室内露出面部９とし、該第１室内露出面部９の幅方向の一端部が縦枠６の外面から段落部８と反対側に向けて突出した外面側突出部１０により構成され、縦枠６の両側面部のうち他方の側面部を他方の部屋２に露出する第２室内露出面部１１とし、上記第１室内露出面部９の横幅Ｍ１と第２室内露出面部１１の横幅Ｍ２とを等しくして成ることを特徴とするものである。
【０００８】
このように、縦枠６の内面部の一側部側を段落してドア７を閉じた際にドア７の端部が位置する段落部８を形成することで、段落部８の端部の段差８ａ部分を戸当りとすることができ、別体の戸当り部材を固着するものに比べて、強度が強く且つ別部材の戸当り部材を必要としない。しかも、このように、内面の一側部側を段落して段落部８を形成することで、段落部８を形成した部分と、段落部８を形成していない部分との厚みが異なるが、第１室内露出面部９の幅方向の一端部が縦枠６の外面から段落部８と反対側に向けて突出した外面側突出部１０により構成し、第１室内露出面部９の横幅Ｍ１と第２室内露出面部１１の横幅Ｍ２とを等しくしてあるので、一方の部屋１、他方の部屋２からそれぞれ見える縦枠６の見付幅が同じになり、外観が良くなる。
【発明の効果】
【０００９】
本発明は、上記のように構成したので、縦枠の内面部の一側部側を段落してドアを閉じた際にドアの端部が位置する段落部を形成にもかかわらず、一方の部屋に露出した縦枠の見付幅と、他方の部屋に露出した縦枠の見付幅が同じになって外観が良くなる。
【発明を実施するための最良の形態】
【００１０】
以下、本発明を添付図面に示す実施形態に基いて説明する。
【００１１】
本発明におけるドア枠５は、左右の縦枠６と、左右の縦枠６の上端部間を連結する上横枠１２を門型形状に枠組みすることで構成されるものと、左右の縦枠６と、左右の縦枠６の上端部間を連結する上横枠１２と、左右の縦枠６の下端部間を連結する下横枠（図示せず）を矩形枠状に枠組みすることで構成されるものとがある。
【００１２】
添付図面に示す実施形態では左右の縦枠６と、左右の縦枠６の上端部間を連結する上横枠１２を門型形状に枠組みすることで構成されるドア枠５を例として説明する。
【００１３】
縦枠６は両側面部のうち一方の側面部が一方の部屋１に露出する第１室内露出面部９となり、他方の側面部が他方の部屋２に露出する第２室内露出面部１１となっている。
【００１４】
縦枠６は図２に示すように、縦枠６の主体を構成する水平断面長方形状をした枠体本体６ａの内面部の一側部側を段落してドア７を閉じた際にドア７の端部が位置するための段落部８を形成してあり、段落部８を形成することで、段差８ａ部分が戸当りとなっている。このように段落部８を設けることで、水平断面長方形状をした枠体本体６ａの段落部８を設けた部分の厚みｔ１が枠体本体６ａの段落部８を設けない部分の厚みｔ２よりも薄くなっている。この枠体本体６ａの外面部（つまり段落部８を形成した内面部と反対側の面）の端部から段落部８と反対側に向けて外面側突出部１０が突設してある。枠体本体６ａの一側面部と上記外面側突出部１０の側面部とは面一に連続していて、第１の部屋に露出する第１室内露出面部９となっている。つまり、この第１室内露出面部９は、幅方向において連続する枠体本体６ａの側面部と外面側突出部１０の側面部により構成してある（言い換えると、第１室内露出面部９の一端部が外面側突出部１０により構成してある）。
【００１５】
そして、本発明においては、第１室内露出面部９の横幅Ｍ１と第２室内露出面部１１の横幅Ｍ２とを等しくしてある。
【００１６】
上記構成の縦枠６を備えたドア枠５は、一方の部屋１と他方の部屋２との間で出入りするための開口部４に図１乃至図３に示すように取付けられるものである。
【００１７】
ここで、縦枠６は一方の部屋１と他方の部屋２との間を仕切る壁３の開口部４側の端面部を覆うように図２のようにして取付けられると共に第１室内露出面部９の幅方向の一端部を構成する外面側突出部１０が一方の部屋１の壁３の壁面の開口部４側の端部に重複して覆うように取付けられる。
【００１８】
図２はドア７を閉じた状態であり、このドア７を閉じた状態で、ドア７の端部が段落部８内に位置し、段落部８の端部の段差８ａが戸当りとなる。このドア７を閉じた状態で、縦枠６の一方の部屋１、他方の部屋２に露出する部分である第１室内露出面部９の横幅Ｍ１と第２室内露出面部１１の横幅Ｍ２とを等しくしてあるので、ドア７を閉じた際における一方の部屋１から縦枠６をみた場合の縦枠６の見付幅と、他方の部屋２から見た場合の縦枠６の見付幅が等しくなり、違和感がなくて外観が良くなる。
【００１９】
また、図３の実施形態では上横枠１２が天井１３の下面に直接又はスペーサ１４を介して取付けられる。この実施形態では、上横枠１２には戸当りが形成されない例である。
【００２０】
なお、図４に示すように上横枠１２の下面の幅方向の一端部を段落して上段落部１５を形成し、上段落部１５にドア７を閉じた際にドア７の上端部を位置させるようにすると共に、上段落部１５の一端部の段差１５ａをドア７の上端部が当る上の戸当りとしてもよい。
【００２１】
図４においては上横枠１２の一方の部屋１側に露出する露出面部の幅と、他方の部屋２側に露出する露出面部の幅とが異なるが、この上横枠１２は天井１３部分に取付けてあるため、一方の部屋１及び他方の部屋１から開口部４を見た場合、あまり目立たない箇所にあるため、露出面部の幅が異なっても違和感はない。
【００２２】
また、図５に示すように上横枠１２の下面の幅方向の中央部に下方に向けて上横枠１２と一体に幅の狭い戸当り突部１７を突設してもよい。
【００２３】
一般的に上横枠１２は図１（ａ）に示すように縦枠６に比べて長さが短く、このため、ドア７を閉じた際の衝撃が縦枠６側ほどかからず、したがって、上横枠１２の下面の幅方向の中央部に幅の狭い戸当り突部１７を突設しても、縦枠６の内面の幅方向の中央部に幅の狭い戸当り突部１７を突設する場合のような強度上の問題は生じにくい。
【００２４】
また、図６には本発明の他の実施形態が示してあり、縦枠６の外面の両側部にそれぞれ壁面板嵌め込み用の凹所１９を設けた例を示しており、一方の部屋１の壁面板２１の端部、他方の部屋２の壁面板２１の端部をそれぞれ壁面板嵌め込み用の凹所１９に嵌め込んであって、壁面板２１のエッジラインが露出しないようにしてある。
【図面の簡単な説明】
【００２５】
【図１】本発明のドア枠の取付けを示し、（ａ）は正面図であり、（ｂ）は平面断面図であり、（ｃ）は縦断面図である。
【図２】同上の縦枠の取付け部分の拡大断面図である。
【図３】同上の上横枠の取付け部分の拡大断面図である。
【図４】他例の上横枠を取付けた部分の拡大断面図である。
【図５】更に他例の上横枠を取付けた部分の拡大断面図である。
【図６】本発明の他例の縦枠の取付け部分を示す拡大断面図である。
【符号の説明】
【００２６】
１  一方の部屋
２  他方の部屋
４  開口部
５  ドア枠
６  縦枠
７  ドア
８  段落部
９  第１室内露出面部
１０  外面側突出部
１１  第２室内露出面部
【図１】
2008240308.tif 000003
【図２】
2008240308.tif 000004
【図３】
2008240308.tif 000005
【図４】
2008240308.tif 000006
【図５】
2008240308.tif 000007
【図６】
2008240308.tif 000008